(57)【特許請求の範囲】
【請求項１】
第１の呼制御装置及び第２の呼制御装置を含むＩＰネットワークにおいて、該第１の呼制御装置を介して一般通信端末との間で一般通信を行い、該第２の呼制御装置を介して緊急通信端末との間で緊急通信を行う移動端末であって、
前記第１の呼制御装置において前記移動端末についての前記一般通信用の位置登録処理が完了している場合であって、かつ、前記ＩＰネットワークにおいて、前記緊急通信を行うにあたって、前記移動端末についての前記一般通信用及び前記緊急通信用の位置登録処理の両方を行う必要がないと判断された場合に、前記第２の呼制御装置において該移動端末についての前記緊急通信用の位置登録処理を行うことなく、前記緊急通信端末との間で前記緊急通信用のセッション確立処理を行うように構成されている緊急通信用セッション確立処理部を具備し、
前記緊急通信用セッション確立処理部は、前記ＩＰネットワークに対する位置登録処理において該ＩＰネットワークから通知された情報に基づいて、前記判断を行うように構成されていることを特徴とする移動端末。
【請求項２】
前記緊急通信用セッション確立処理部は、前記移動端末についての該一般通信用の位置登録処理において前記ＩＰネットワークから通知された情報に基づいて、前記判断を行うように構成されている請求項１に記載の移動端末。
【請求項３】
前記第１の呼制御装置において前記移動端末についての前記一般通信用の位置登録処理が完了していない場合に、前記第２の呼制御装置において該移動端末についての前記緊急通信用の位置登録処理を行うように要求するための緊急通信用位置登録処理要求を送信するように構成されている緊急通信用位置登録処理部を具備し、
前記緊急通信用位置登録処理要求に応じて前記第２の呼制御装置において前記移動端末についての前記緊急通信用の位置登録処理が完了した場合に、前記緊急通信用セッション確立処理部は、前記第１の呼制御装置において該移動端末についての前記一般通信用の位置登録処理を行うことなく、前記緊急通信端末との間で前記緊急通信用のセッション確立処理を行うように構成されていることを特徴とする請求項１に記載の移動端末。
【請求項４】
前記移動端末においてＵｎｉｖｅｒｓａｌ  Ｉｎｔｅｇｒａｔｅｄ  Ｃｉｒｃｕｉｔ  Ｃａｒｄが搭載されていない場合に、前記第２の呼制御装置において該移動端末についての前記緊急通信用の位置登録処理を行うように要求するための緊急通信用位置登録処理要求を送信するように構成されている緊急通信用位置登録処理部を具備し、
前記緊急通信用位置登録処理要求に応じて前記第２の呼制御装置において前記移動端末についての前記緊急通信用の位置登録処理が完了した場合に、前記緊急通信用セッション確立処理部は、前記第１の呼制御装置において該移動端末についての前記一般通信用の位置登録処理を行うことなく、前記緊急通信端末との間で前記緊急通信用のセッション確立処理を行うように構成されていることを特徴とする請求項１に記載の移動端末。
【請求項５】
第１の呼制御装置及び第２の呼制御装置を含むＩＰネットワークを介して、移動端末が、該第１の呼制御装置を介して一般通信端末との間で一般通信を行い、該第２の呼制御装置を介して緊急通信端末との間で緊急通信を行う移動通信システムであって、
前記移動端末は、前記第１の呼制御装置において該移動端末についての前記一般通信用の位置登録処理が完了している場合であって、かつ、前記ＩＰネットワークにおいて、前記緊急通信を行うにあたって、前記移動端末についての前記一般通信用及び前記緊急通信用の位置登録処理の両方を行う必要がないと判断された場合に、前記緊急通信端末との間で前記緊急通信用のセッション確立処理を行うように要求するための緊急通信用セッション確立処理要求を送信するように構成されており、
前記ＩＰネットワークは、前記第１の呼制御装置において前記移動端末についての前記一般通信用の位置登録処理が完了している場合であれば、前記第２の呼制御装置において該移動端末についての前記緊急通信用の位置登録処理が行われていない場合であっても、該移動端末と前記緊急通信端末との間の前記緊急通信用のセッション確立処理を行うように構成されており、
前記移動端末は、前記ＩＰネットワークに対する位置登録処理において該ＩＰネットワークから通知された情報に基づいて、前記判断を行うように構成されていることを特徴とする移動通信システム。
【発明の詳細な説明】
【技術分野】
【０００１】
本発明は、第１の呼制御装置及び第２の呼制御装置を含むＩＰネットワークにおいて、該第１の呼制御装置を介して一般通信端末との間で一般通信を行い、該第２の呼制御装置を介して緊急通信端末との間で緊急通信を行う移動端末、及び、移動通信システムに関する。
【背景技術】
【０００２】
第３世代移動通信システムの国際標準化団体である「３ＧＰＰ（３ｒｄ  Ｇｅｎｅｒａｔｉｏｎ  Ｐａｒｔｎｅｒｓｈｉｐ  Ｐｒｏｊｅｃｔ）」では、移動端末がＩＰネットワークを介して緊急通信端末との間で緊急通信を行うことを可能とする移動通信システムが提案されている（非特許文献１参照）。【０００３】
かかる移動通信システムは、図１に示すように、ＩＭＳ（ＩＰ  Ｍｕｌｔｉｍｅｄｉａ  Ｓｕｂｓｙｓｔｅｍ）と、ＩＰ-ＣＡＮ（ＧＰＲＳ/Ｉ-ＷＬＡＮ）とによって構成されているＩＰネットワークを具備する。【０００４】
ここで、ＩＰ-ＣＡＮは「ＩＰ-Ｃｏｎｎｅｃｔｉｖｉｔｙ  Ａｃｃｅｓｓ  Ｎｅｔｗｏｒｋ」の略であり、ＧＰＲＳは「Ｇｅｎｅｒａｌ  Ｐａｃｋｅｔ  Ｒａｄｉｏ  Ｓｅｒｖｉｃｅ」の略であり、Ｉ-ＷＬＡＮは「Ｉｎｔｅｒｗｏｒｋｉｎｇ  Ｗｉｒｅｌｅｓｓ  Ａｃｃｅｓｓ  Ｎｅｔｗｏｒｋ」の略である。【０００５】
また、ＩＭＳ内には、Ｐ-ＣＳＣＦ（Ｐｒｏｘｙ-Ｃａｌｌ  Ｓｅｒｖｅｒ  Ｃｏｎｔｒｏｌ  Ｆｕｎｃｔｉｏｎ）や、Ｓ-ＣＳＣＦ（Ｓｅｒｖｉｎｇ-Ｃａｌｌ  Ｓｅｒｖｅｒ  Ｃｏｎｔｒｏｌ  Ｆｕｎｃｔｉｏｎ）や、Ｅ-ＣＳＣＦ（Ｅｍｅｒｇｅｎｃｙ-Ｃａｌｌ  Ｓｅｒｖｅｒ  Ｃｏｎｔｒｏｌ  Ｆｕｎｃｔｉｏｎ）や、ＨＳＳ（Ｈｏｍｅ  Ｓｕｂｓｃｒｉｂｅｒ  Ｓｅｒｖｅｒ）が設けられており、ＩＰ-ＣＡＮ（ＧＰＲＳ/Ｉ-ＷＬＡＮ）には、ＩＰデータ（ＳＩＰ信号やＶｏＩＰパケット）の転送を可能とする機能が設けられている。【０００６】
ここで、Ｓ-ＣＳＣＦ、Ｅ-ＣＳＣＦ及びＰ-ＣＳＣＦは、移動端末ＵＥと一般通信端末との間の一般通信用のセッション、或いは、移動端末ＵＥと緊急通信端末（ＰＳＡＰ：Ｐｕｂｌｉｃ  Ｓａｆｅｔｙ  Ａｎｓｗｅｒｉｎｇ  Ｐｏｉｎｔ）との間の緊急通信用のセッションを制御するためのＳＩＰ（Ｓｅｓｓｉｏｎ  Ｉｎｉｔｉａｔｉｏｎ  Ｐｒｏｔｏｃｏｌ）サーバ（呼制御装置）である。【０００７】
なお、移動端末ＵＥは、かかるＩＰネットワーク上に確立されたセッションを用いて、Ｓ-ＣＳＣＦ＃１（第１の呼制御装置）を介して一般通信端末（図示せず）との間で一般通信を行い、Ｓ-ＣＳＣＦ＃２（第２の呼制御装置）及びＥ-ＣＳＣＦを介して緊急通信端末であるＰＳＡＰとの間で緊急通信を行うように構成されている。【０００８】
ここで、図２を参照して、上述の移動通信システムにおいて、移動端末ＵＥとＰＳＡＰとの間の緊急通信を開始する動作について説明する。【０００９】
図２に示すように、ステップＳ７００１において、移動端末ＵＥは、一般通信用のユーザ識別子（ＩＭＰＩ：ＩＰ  Ｍｕｌｔｉｍｅｄｉａ  Ｐｒｉｖａｔｅ  Ｉｄｅｎｔｉｆｉｅｒ、Ｎｏｒｍａｌ  ＩＭＰＵ：ＩＰ  Ｍｕｌｔｉｍｅｄｉａ  Ｐｕｂｌｉｃ  Ｉｄｅｎｔｉｔｙ）を用いて、Ｓ-ＣＳＣＦ＃１において当該移動端末ＵＥについての一般通信用の位置登録処理（Ｎｏｒｍａｌ  Ｒｅｇｉｓｔｒａｔｉｏｎ処理）を行うように要求するための「Ｎｏｒｍａｌ  Ｒｅｇｉｓｔｒａｔｉｏｎ  Ｒｅｑｕｅｓｔ」を、Ｐ-ＣＳＣＦに送信する。【００１０】
ステップＳ７００２において、「Ｎｏｒｍａｌ  Ｒｅｇｉｓｔｒａｔｉｏｎ  Ｒｅｑｕｅｓｔ」に応じて、ＨＳＳを参照して、移動端末ＵＥとＳ-ＣＳＣＦ＃１との間で、当該移動端末ＵＥについての一般通信用の位置登録処理が行われる。【００１１】
その後、ステップＳ７００３において、移動端末ＵＥは、緊急通信用のユーザ識別子（Ｅｍｅｒｇｅｎｃｙ  ＩＭＰＵ）を用いて、Ｓ-ＣＳＣＦ＃２において当該移動端末ＵＥについての緊急通信用の位置登録処理（Ｅｍｅｒｇｅｎｃｙ  Ｒｅｇｉｓｔｒａｔｉｏｎ処理）を行うように要求するための「Ｅｍｅｒｇｅｎｃｙ  Ｒｅｇｉｓｔｒａｔｉｏｎ  Ｒｅｑｕｅｓｔ」を、Ｐ-ＣＳＣＦに送信する。【００１２】
ステップＳ７００４において、「Ｅｍｅｒｇｅｎｃｙ  Ｒｅｇｉｓｔｒａｔｉｏｎ  Ｒｅｑｕｅｓｔ」に応じて、ＨＳＳを参照して、移動端末ＵＥとＳ-ＣＳＣＦ＃２との間で、当該移動端末ＵＥについての緊急通信用の位置登録処理が行われる。【００１３】
ステップＳ７００５において、移動端末ＵＥは、上述の緊急通信用の位置登録処理が完了した後、緊急通信用のユーザ識別子を用いて、ＰＳＡＰとの間で緊急通信用のセッション確立処理を行うように要求するための「Ｅｍｅｒｇｅｎｃｙ  ＳＩＰ  Ｉｎｖｉｔｅ」を、Ｐ-ＣＳＣＦに送信する。【００１４】
ステップＳ７００６において、Ｐ-ＣＳＣＦは、受信した「Ｅｍｅｒｇｅｎｃｙ  ＳＩＰ  Ｉｎｖｉｔｅ」を、Ｅ-ＣＳＣＦに転送する。【００１５】
ステップＳ７００７において、「Ｅｍｅｒｇｅｎｃｙ  ＳＩＰ  Ｉｎｖｉｔｅ」に応じて、移動端末ＵＥとＰＳＡＰとの間で、移動端末ＵＥとＰＳＡＰとの間の緊急通信用のセッション確立処理（Ｅｍｅｒｇｅｎｃｙ  Ｓｅｓｓｉｏｎ  Ｅｓｔａｂｌｉｓｈｍｅｎｔ処理）が行われる。【００１６】
移動端末ＵＥは、このように設定された緊急通信用のセッション確立処理を用いて、ＰＳＡＰとの間で緊急通信を行うことができる。【００１７】
しかしながら、上述の移動通信システムでは、ＵＩＣＣが搭載されていない移動端末ＵＥ（非契約ユーザの移動端末ＵＥ）からの緊急通信を許容させるために、一般通信用の位置登録処理の他に、緊急通信を行うときにだけ必要な緊急通信用の位置登録処理が必要であった。【００１８】
また、上述の移動通信システムでは、一般通信用の呼制御装置（Ｓ-ＣＳＣＦ＃１）と、警察や消防や海保等の指令台に設けられている緊急通信用の呼制御装置（Ｓ-ＣＳＣＦ＃２）とが異なるために、一般通信用の位置登録処理及び緊急通信用の位置登録処理の両方を行う必要があった。【００１９】
このように、一般通信用の呼制御装置（Ｓ-ＣＳＣＦ＃１）と緊急通信用の呼制御装置（Ｓ-ＣＳＣＦ＃２）とが異なる場合の例としては、移動端末ＵＥがホームネットワーク以外のネットワークから緊急通信用のセッション確立処理を実行する場合等が挙げられる。【００２０】
したがって、上述の移動通信システムでは、ある移動端末ＵＥについての一般通信用の位置登録処理が完了している場合であっても、別途、当該移動端末ＵＥについての緊急通信用の位置登録処理を行わなければならないため、緊急通信を開始するまでの時間が長くなってしまうという問題点があった。
【非特許文献１】３ＧＰＰ  ＴＳ２３.１６７  Ｖｅｒ.７.０.０
【発明の開示】
【００２１】
そこで、本発明は、上述の課題に鑑みてなされたものであり、ＩＰネットワークにおける緊急通信を開始するまでの時間を短縮することができる移動端末及び移動通信システムを提供することを目的とする。
【００２２】
本発明の第１の特徴は、第１の呼制御装置及び第２の呼制御装置を含むＩＰネットワークにおいて、該第１の呼制御装置を介して一般通信端末との間で一般通信を行い、該第２の呼制御装置を介して緊急通信端末との間で緊急通信を行う移動端末であって、前記第１の呼制御装置において前記移動端末についての前記一般通信用の位置登録処理が完了している場合に、前記第２の呼制御装置において該移動端末についての前記緊急通信用の位置登録処理を行うことなく、前記緊急通信端末との間で前記緊急通信用のセッション確立処理を行うように構成されている緊急通信用セッション確立処理部を具備することを要旨とする。
【００２３】
本発明の第１の特徴において、前記第１の呼制御装置において前記移動端末についての前記一般通信用の位置登録処理が完了している場合であって、かつ、前記ＩＰネットワークにおいて、前記緊急通信を行うにあたって、前記移動端末についての前記一般通信用及び前記緊急通信用の位置登録処理の両方を行う必要がないと判断された場合に、前記緊急通信用セッション確立処理部は、前記第２の呼制御装置において該移動端末についての前記緊急通信用の位置登録処理を行うことなく、前記緊急通信端末との間で前記緊急通信用のセッション確立処理を行うように構成されていてもよい。
【００２４】
本発明の第１の特徴において、前記緊急通信用セッション確立処理部は、前記移動端末についての該一般通信用の位置登録処理において前記ＩＰネットワークから通知された情報に基づいて、前記判断を行うように構成されていてもよい。
【００２５】
本発明の第１の特徴において、前記第１の呼制御装置において前記移動端末についての前記一般通信用の位置登録処理が完了していない場合に、前記第２の呼制御装置において該移動端末についての前記緊急通信用の位置登録処理を行うように要求するための緊急通信用位置登録処理要求を送信するように構成されている緊急通信用位置登録処理部を具備し、前記緊急通信用位置登録処理要求に応じて前記第２の呼制御装置において前記移動端末についての前記緊急通信用の位置登録処理が完了した場合に、前記緊急通信用セッション確立処理部は、前記第１の呼制御装置において該移動端末についての前記一般通信用の位置登録処理を行うことなく、前記緊急通信端末との間で前記緊急通信用のセッション確立処理を行うように構成されていてもよい。
【００２６】
本発明の第１の特徴において、前記移動端末においてＵＩＣＣが搭載されていない場合に、前記第２の呼制御装置において該移動端末についての前記緊急通信用の位置登録処理を行うように要求するための緊急通信用位置登録処理要求を送信するように構成されている緊急通信用位置登録処理部を具備し、前記緊急通信用位置登録処理要求に応じて前記第２の呼制御装置において前記移動端末についての前記緊急通信用の位置登録処理が完了した場合に、前記緊急通信用セッション確立処理部は、前記第１の呼制御装置において該移動端末についての前記一般通信用の位置登録処理を行うことなく、前記緊急通信端末との間で前記緊急通信用のセッション確立処理を行うように構成されていてもよい。
【００２７】
本発明の第１の特徴において、前記緊急通信用セッション確立処理部は、前記ＩＰネットワークに対する位置登録処理において該ＩＰネットワークから通知された情報に基づいて、前記判断を行うように構成されていてもよい。
【００２８】
本発明の第２の特徴は、第１の呼制御装置及び第２の呼制御装置を含むＩＰネットワークを介して、移動端末が、該第１の呼制御装置を介して一般通信端末との間で一般通信を行い、該第２の呼制御装置を介して緊急通信端末との間で緊急通信を行う移動通信システムであって、前記移動端末は、前記第１の呼制御装置において該移動端末についての前記一般通信用の位置登録処理が完了している場合に、前記緊急通信端末との間で前記緊急通信用のセッション確立処理を行うように要求するための緊急通信用セッション確立処理要求を送信するように構成されており、前記ＩＰネットワークは、前記第１の呼制御装置において前記移動端末についての前記一般通信用の位置登録処理が完了している場合であれば、前記第２の呼制御装置において該移動端末についての前記緊急通信用の位置登録処理が行われていない場合であっても、該移動端末と前記緊急通信端末との間の前記緊急通信用のセッション確立処理を行うように構成されていることを要旨とする。
【図面の簡単な説明】
【００２９】
【図１】一般的な移動通信システムの全体構成図である。
【図２】従来技術に係る移動通信システムの動作を説明するためのシーケンス図である。
【図３】本発明の第１の実施形態に係る移動端末の機能ブロック図である。
【図４】本発明の第１の実施形態に係る移動通信システムの全体動作を示すフローチャートである。
【図５】本発明の第１の実施形態に係る移動通信システムの全体動作における手順１のフローチャートである。
【図６】本発明の第１の実施形態に係る移動通信システムの全体動作における手順２のフローチャートである。
【図７】本発明の第１の実施形態に係る移動通信システムの動作を説明するためのシーケンス図である。
【図８】本発明の第１の実施形態に係る移動通信システムの動作を説明するためのシーケンス図である。
【図９】本発明の第１の実施形態に係る移動通信システムの動作を説明するためのシーケンス図である。
【図１０】本発明の第１の実施形態に係る移動通信システムの動作を説明するためのシーケンス図である。
【図１１】本発明の第１の実施形態に係る移動通信システムの全体動作を示すフローチャートである。
【図１２】本発明の第１の実施形態に係る移動通信システムの全体動作における手順１のフローチャートである。
【図１３】本発明の第１の実施形態に係る移動通信システムの動作を説明するためのシーケンス図である。
【図１４】本発明の第１の実施形態に係る移動通信システムの動作を説明するためのシーケンス図である。
【図１５】本発明の第１の実施形態に係る移動通信システムの動作を説明するためのシーケンス図である。
【図１６】本発明の第１の実施形態に係る移動通信システムの動作を説明するためのシーケンス図である。
【発明を実施するための最良の形態】
【００３０】
（本発明の第１の実施形態に係る移動通信システムの構成）
本実施形態に係る移動通信システムは、図１に示すように、Ｓ-ＣＳＣＦ＃１（第１の呼制御装置）とＳ-ＣＳＣＦ＃２（第２の呼制御装置）とＥ-ＣＳＣＦとＰ-ＣＳＣＦとを含むＩＰネットワークを介して、移動端末ＵＥが、Ｓ-ＣＳＣＦ＃１を介して一般通信端末との間で一般通信を行い、Ｓ-ＣＳＣＦ＃２及びＥ-ＣＳＣＦを介してＰＳＡＰ（緊急通信端末）との間で緊急通信を行うように構成されている。【００３１】
ここで、後述するように、かかるＩＰネットワークは、Ｓ-ＣＳＣＦ＃１において移動端末ＵＥについての一般通信用の位置登録処理（Ｎｏｒｍａｌ  Ｒｅｇｉｓｔｒａｔｉｏｎ処理）が完了している場合であれば、Ｓ-ＣＳＣＦ＃２において移動端末ＵＥについての緊急通信用の位置登録処理（Ｅｍｅｒｇｅｎｃｙ  Ｒｅｇｉｓｔｒａｔｉｏｎ処理）が行われていない場合であっても、移動端末ＵＥとＰＳＡＰとの間の緊急通信用のセッション確立処理（Ｅｍｅｒｇｅｎｃｙ  Ｓｅｓｓｉｏｎ  Ｅｓｔａｂｌｉｓｈｍｅｎｔ処理）を行うように構成されている。【００３２】
図３を参照して、本発明の第１の実施形態に係る移動端末ＵＥの構成について説明する。【００３３】
本実施形態に係る移動端末ＵＥは、上述のＩＰネットワークにおいて、Ｓ-ＣＳＣＦ＃１を介して一般通信端末との間で一般通信を行い、Ｓ-ＣＳＣＦ＃２及びＥ-ＣＳＣＦを介してＰＳＡＰとの間で緊急通信を行うように構成されている。【００３４】
図３に示すように、本実施形態に係る移動端末ＵＥは、ＵＩＣＣ検出部１１と、Ｎｏｒｍａｌ  Ｒｅｇｉｓｔｒａｔｉｏｎ処理部１２と、Ｅｍｅｒｇｅｎｃｙ  Ｒｅｇｉｓｔｒａｔｉｏｎ処理部１３と、Ｅｍｅｒｇｅｎｃｙ  Ｓｅｓｓｉｏｎ  Ｅｓｔａｂｌｉｓｈｍｅｎｔ処理部１４とを具備している。【００３５】
ＵＩＣＣ検出部１１は、移動端末ＵＥにＵＩＣＣ（Ｕｎｉｖｅｒｓａｌ  Ｉｎｔｅｇｒａｔｅｄ  Ｃｉｒｃｕｉｔ  Ｃａｒｄ）が搭載されているか否かについて検出するように構成されている。【００３６】
Ｎｏｒｍａｌ  Ｒｅｇｉｓｔｒａｔｉｏｎ処理部１２は、移動端末ＵＥの電源投入時等の所定条件が満たされた場合に、Ｓ-ＣＳＣＦ＃１において、移動端末ＵＥについての一般通信用の位置登録処理（Ｎｏｒｍａｌ  Ｒｅｇｉｓｔｒａｔｉｏｎ処理）を行うように構成されている。【００３７】
具体的には、Ｎｏｒｍａｌ  Ｒｅｇｉｓｔｒａｔｉｏｎ処理部１２は、かかる一般通信用の位置登録処理を行うために、一般通信用のユーザ識別子を用いて、当該一般通信用の位置登録処理を行うように要求するための「Ｎｏｒｍａｌ  Ｒｅｇｉｓｔｒａｔｉｏｎ  Ｒｅｑｕｅｓｔ（一般通信用位置登録処理要求）」をＰ-ＣＳＣＦに送信するように構成されている。【００３８】
Ｅｍｅｒｇｅｎｃｙ  Ｒｅｇｉｓｔｒａｔｉｏｎ処理部１３は、所定条件が満たされた場合に、Ｓ-ＣＳＣＦ＃２において、移動端末ＵＥについての緊急通信用の位置登録処理（Ｅｍｅｒｇｅｎｃｙ  Ｒｅｇｉｓｔｒａｔｉｏｎ処理）を行うように構成されている。【００３９】
具体的には、Ｅｍｅｒｇｅｎｃｙ  Ｒｅｇｉｓｔｒａｔｉｏｎ処理部１３は、かかる緊急通信用の位置登録処理を行うために、緊急通信用のユーザ識別子を用いて、当該緊急通信用の位置登録処理を行うように要求するための「Ｅｍｅｒｇｅｎｃｙ  Ｒｅｇｉｓｔｒａｔｉｏｎ  Ｒｅｑｕｅｓｔ（緊急通信用位置登録処理要求）」をＰ-ＣＳＣＦに送信するように構成されている。【００４０】
例えば、Ｅｍｅｒｇｅｎｃｙ  Ｒｅｇｉｓｔｒａｔｉｏｎ処理部１３は、移動端末ＵＥにおいてＵＩＣＣが搭載されていない場合、又は、Ｓ-ＣＳＣＦ＃１において移動端末ＵＥについての一般通信用の位置登録処理が完了していない場合に、緊急通信用のユーザ識別子を用いて、Ｓ-ＣＳＣＦ＃２において移動端末ＵＥについての緊急通信用の位置登録処理を行うように要求するための「Ｅｍｅｒｇｅｎｃｙ  Ｒｅｇｉｓｔｒａｔｉｏｎ  Ｒｅｑｕｅｓｔ」をＰ-ＣＳＣＦに送信するように構成されている。【００４１】
Ｅｍｅｒｇｅｎｃｙ  Ｓｅｓｓｉｏｎ  Ｅｓｔａｂｌｉｓｈｍｅｎｔ処理部１４は、所定条件が満たされた場合に、Ｓ-ＣＳＣＦ＃２及びＥ-ＣＳＣＦを介して移動端末ＵＥとＰＳＡＰとの間で緊急通信を行うための緊急通信用のセッション確立処理（Ｅｍｅｒｇｅｎｃｙ  Ｓｅｓｓｉｏｎ  Ｅｓｔａｂｌｉｓｈｍｅｎｔ処理）を行うように構成されている。【００４２】
具体的には、Ｅｍｅｒｇｅｎｃｙ  Ｓｅｓｓｉｏｎ  Ｅｓｔａｂｌｉｓｈｍｅｎｔ処理部１４は、かかる緊急通信用のセッション確立処理を行うために、ＰＳＡＰとの間で緊急通信用のセッション確立処理を行うように要求するための緊急通信用セッション確立処理要求（Ｅｍｅｒｇｅｎｃｙ  ＳＩＰ  Ｉｎｖｉｔｅ）を送信するように構成されている。【００４３】
例えば、Ｅｍｅｒｇｅｎｃｙ  Ｓｅｓｓｉｏｎ  Ｅｓｔａｂｌｉｓｈｍｅｎｔ処理部１４は、Ｓ-ＣＳＣＦ＃１において移動端末ＵＥについての一般通信用の位置登録処理が完了している場合であって、かつ、上述のＩＰネットワークにおいて、緊急通信を行うにあたって、移動端末ＵＥについての一般通信用及び緊急通信用の位置登録処理の両方を行う必要がないと判断された場合に、Ｓ-ＣＳＣＦ＃２において移動端末ＵＥについての緊急通信用の位置登録処理を行うことなく、ＰＳＡＰとの間で緊急通信用のセッション確立処理を行うように構成されている。【００４４】
ここで、Ｅｍｅｒｇｅｎｃｙ  Ｓｅｓｓｉｏｎ  Ｅｓｔａｂｌｉｓｈｍｅｎｔ処理部１４は、移動端末ＵＥについての一般通信用の位置登録処理においてＩＰネットワークから通知された情報（例えば、判定キー）に基づいて、上述の判断を行うように構成されていてもよい。【００４５】
また、Ｅｍｅｒｇｅｎｃｙ  Ｓｅｓｓｉｏｎ  Ｅｓｔａｂｌｉｓｈｍｅｎｔ処理部１４は、上述の緊急通信用位置登録処理要求に応じてＳ-ＣＳＣＦ＃１において移動端末ＵＥについての緊急通信用の位置登録処理が完了した場合に、Ｓ-ＣＳＣＦ＃１において移動端末ＵＥについての一般通信用の位置登録処理を行うことなく、ＰＳＡＰとの間で緊急通信用のセッション確立処理を行うように構成されている。【００４６】
（本発明の第１の実施形態に係る移動通信システムの動作）
以下、図４乃至図１０を参照して、本実施形態に係る移動通信システムの動作について説明する。【００４７】
具体的には、図４乃至図６を参照して、本実施形態に係る移動端末ＵＥの動作について説明し、図７乃至図１０を参照して、本実施形態に係る移動通信システムの動作について説明する。【００４８】
図４に示すように、ステップＳ１０１において、移動端末ＵＥからＰＳＡＰ宛てに行うべき緊急通信（Ｅｍｅｒｇｅｎｃｙ  Ｃａｌｌ）が発生する。【００４９】
ステップＳ１０２において、移動端末ＵＥは、当該移動端末ＵＥにＵＩＣＣが搭載されているか否かについて判定する。【００５０】
搭載されていると判定された場合、本動作は、ステップＳ１０３に進み、図５に示す手順１を実行し、搭載されていないと判定された場合、本動作は、ステップＳ１０４に進み、図６に示す手順２を実行する。【００５１】
第１に、図５を参照して、移動端末ＵＥが手順１を実行する動作について説明する。【００５２】
図５に示すように、ステップＳ２０１において、移動端末ＵＥは、Ｓ-ＣＳＣＦ＃１において移動端末ＵＥについての一般通信用の位置登録処理が完了しているか否かについて判定する。【００５３】
完了していると判定された場合、本動作は、ステップＳ２０２に進み、完了していないと判定された場合、本動作は、図６に示す手順２を実行する。【００５４】
ステップＳ２０２において、移動端末ＵＥは、移動端末ＵＥについての一般通信用の位置登録処理においてＩＰネットワークから通知された情報（例えば、判定キー）等に基づいて、Ｓ-ＣＳＣＦ＃２において移動端末ＵＥについての緊急通信用の位置登録処理を行う必要があるか否かについて判断する、すなわち、ＩＰネットワークにおいて緊急通信を行うにあたって移動端末ＵＥについての一般通信用及び緊急通信用の位置登録処理の両方を行う必要があるか否かについて判断する。【００５５】
必要があると判断された場合、本動作は、ステップＳ２０３に進み、必要がないと判断された場合、本動作は、図４におけるステップＳ１０５に進む。【００５６】
ステップＳ２０３において、移動端末ＵＥは、かかる緊急通信用の位置登録処理を行うために、緊急通信用のユーザ識別子を用いて、当該緊急通信用の位置登録処理を行うように要求するための「Ｅｍｅｒｇｅｎｃｙ  Ｒｅｇｉｓｔｒａｔｉｏｎ  Ｒｅｑｕｅｓｔ」をＰ-ＣＳＣＦに送信する。【００５７】
ステップＳ２０４において、移動端末ＵＥは、Ｓ-ＣＳＣＦ＃２との間で、Ｅｍｅｒｇｅｎｃｙ  Ｒｅｇｉｓｔｒａｔｉｏｎを行った後、本動作は、図４におけるステップＳ１０５に進む。【００５８】
第２に、図６を参照して、移動端末ＵＥが手順２を実行する動作について説明する。【００５９】
図６に示すように、ステップＳ３０１において、移動端末ＵＥは、緊急通信用のユーザ識別子を用いて、Ｓ-ＣＳＣＦ＃２において移動端末ＵＥについての緊急通信用の位置登録処理を行うように要求するための「Ｅｍｅｒｇｅｎｃｙ  Ｒｅｇｉｓｔｒａｔｉｏｎ  Ｒｅｑｕｅｓｔ」をＰ-ＣＳＣＦに送信する。【００６０】
ステップＳ３０２において、移動端末ＵＥは、上述の「Ｅｍｅｒｇｅｎｃｙ  Ｒｅｇｉｓｔｒａｔｉｏｎ  Ｒｅｑｕｅｓｔ」に対するＰ-ＣＳＣＦからの応答（Ｒｅｓｐｏｎｃｅ）に含まれる指示に基づいて、Ｓ-ＣＳＣＦ＃１において移動端末ＵＥについての一般通信用の位置登録処理を行う必要があるか否かについて判断する、すなわち、ＩＰネットワークにおいて、移動端末ＵＥについての緊急通信用の位置登録処理を行う前に、移動端末ＵＥについての一般通信用の位置登録処理を行う必要があるか否かについて判断する。【００６１】
必要であると判断された場合、本動作は、ステップＳ３０３に進み、必要でないと判断された場合、本動作は、ステップＳ３０５に進む。【００６２】
ステップＳ３０３において、移動端末ＵＥは、かかる一般通信用の位置登録処理を行うために、一般通信用のユーザ識別子を用いて、当該一般通信用の位置登録処理を行うように要求するための「Ｎｏｒｍａｌ  Ｒｅｇｉｓｔｒａｔｉｏｎ  Ｒｅｑｕｅｓｔ」をＰ-ＣＳＣＦに送信する。【００６３】
ステップＳ３０４において、移動端末ＵＥは、Ｓ-ＣＳＣＦ＃１との間で、移動端末ＵＥについての一般通信用の位置登録処理を行った後、本動作は、図５におけるステップＳ２０２に進む。【００６４】
なお、ＵＩＣＣが搭載されていない場合には、移動端末ＵＥは、一般通信用のユーザ識別子を用いて、当該一般通信用の位置登録処理を行うことができず、ＰＳＡＰとの間の緊急通信を行うことができない。【００６５】
ステップＳ３０５において、移動端末ＵＥは、Ｓ-ＣＳＣＦ＃２との間で、移動端末ＵＥについての緊急通信用の位置登録処理を行った後、本動作は、図４におけるステップＳ１０５に進む。【００６６】
ステップＳ１０５において、移動端末ＵＥは、ＰＳＡＰとの間の緊急通信に用いられる緊急通信用のセッション確立処理を行うために、ＰＳＡＰとの間で緊急通信用のセッション確立処理を行うように要求するための緊急通信用セッション確立処理要求（Ｅｍｅｒｇｅｎｃｙ  ＳＩＰ  Ｉｎｖｉｔｅ）をＰ-ＣＳＣＦに送信する。【００６７】
ステップＳ１０６において、移動端末ＵＥは、ＰＳＡＰとの間で、緊急通信に用いられる緊急通信用のセッション確立処理を行う。【００６８】
次に、図７乃至図１０を参照して、本実施形態に係る移動通信システムにおいて、移動端末ＵＥとＰＳＡＰとの間の緊急通信を開始する動作（４つのケース）について説明する。【００６９】
第１に、図７を参照して、本実施形態に係る移動通信システムの動作における第１のケースについて説明する。【００７０】
第１のケースでは、図７に示すように、移動端末ＵＥは、ステップＳ１００１において、移動端末ＵＥにＵＩＣＣが搭載されていると判断し、ステップＳ１００２において、Ｓ-ＣＳＣＦ＃１において移動端末ＵＥについての一般通信用の位置登録処理が完了していると判断し、ステップＳ１００３において、ＩＰネットワークにおいて緊急通信を行うにあたって移動端末ＵＥについての一般通信用及び緊急通信用の位置登録処理の両方を行う必要がないと判断する。【００７１】
かかる場合、ステップＳ１００４において、移動端末ＵＥは、Ｓ-ＣＳＣＦ＃２において移動端末ＵＥについての緊急通信用の位置登録処理を行うことなく、一般通信用のユーザ識別子を用いて、ＰＳＡＰとの間で緊急通信用のセッション確立処理（Ｅｍｅｒｇｅｎｃｙ  Ｓｅｓｓｉｏｎ  Ｅｓｔａｂｌｉｓｈｍｅｎｔ処理）を行うように要求するための緊急通信用セッション確立処理要求（Ｅｍｅｒｇｅｎｃｙ  ＳＩＰ  Ｉｎｖｉｔｅ）をＰ-ＣＳＣＦに送信する。【００７２】
ステップＳ１００５において、Ｐ-ＣＳＣＦは、受信した緊急通信用セッション確立処理要求を、Ｅ-ＣＳＣＦに転送する。【００７３】
ステップＳ１００６において、Ｅ-ＣＳＣＦは、受信した緊急通信用セッション確立処理要求を、ＰＳＡＰに転送する。【００７４】
ステップＳ１００７において、上述のＩＰネットワークは、Ｓ-ＣＳＣＦ＃１において移動端末ＵＥについての一般通信用の位置登録処理が完了している場合であるので、Ｓ-ＣＳＣＦ＃２において移動端末ＵＥについての緊急通信用の位置登録処理が行われていないが、移動端末ＵＥとＰＳＡＰとの間の緊急通信用のセッション確立処理を行う。【００７５】
移動端末ＵＥは、このように設定された緊急通信用のセッション確立処理を用いて、ＰＳＡＰとの間で緊急通信を行うことができる。【００７６】
第２に、図８を参照して、本実施形態に係る移動通信システムの動作における第２のケースについて説明する。【００７７】
第２のケースでは、図８に示すように、移動端末ＵＥは、ステップＳ２００１において、移動端末ＵＥにＵＩＣＣが搭載されていると判断し、ステップＳ２００２において、Ｓ-ＣＳＣＦにおいて移動端末ＵＥについての一般通信用の位置登録処理が完了していると判断し、ステップＳ２００３において、ＩＰネットワークにおいて緊急通信を行うにあたって移動端末ＵＥについての一般通信用及び緊急通信用の位置登録処理の両方を行う必要があると判断する。【００７８】
ステップＳ２００４において、移動端末ＵＥは、緊急通信用のユーザ識別子を用いて、Ｓ-ＣＳＣＦ＃２において当該移動端末ＵＥについての緊急通信用の位置登録処理を行うように要求するための「Ｅｍｅｒｇｅｎｃｙ  Ｒｅｇｉｓｔｒａｔｉｏｎ  Ｒｅｑｕｅｓｔ」を、Ｐ-ＣＳＣＦに送信する。【００７９】
ステップＳ２００５において、「Ｅｍｅｒｇｅｎｃｙ  Ｒｅｇｉｓｔｒａｔｉｏｎ  Ｒｅｑｕｅｓｔ」に応じて、ＨＳＳを参照して、移動端末ＵＥとＳ-ＣＳＣＦ＃２との間で、当該移動端末ＵＥについての緊急通信用の位置登録処理が行われる。【００８０】
ステップＳ２００６において、移動端末ＵＥは、上述の緊急通信用の位置登録処理が完了した後、緊急通信用のユーザ識別子を用いて、ＰＳＡＰとの間で緊急通信用のセッション確立処理を行うように要求するための「Ｅｍｅｒｇｅｎｃｙ  ＳＩＰ  Ｉｎｖｉｔｅ」を、Ｐ-ＣＳＣＦに送信する。【００８１】
ステップＳ２００７において、Ｐ-ＣＳＣＦは、受信した「Ｅｍｅｒｇｅｎｃｙ  ＳＩＰ  Ｉｎｖｉｔｅ」を、Ｅ-ＣＳＣＦに転送する。【００８２】
ステップＳ２００８において、Ｅ-ＣＳＣＦは、受信した緊急通信用セッション確立処理要求を、ＰＳＡＰに転送する。【００８３】
ステップＳ２００９において、「Ｅｍｅｒｇｅｎｃｙ  ＳＩＰ  Ｉｎｖｉｔｅ」に応じて、移動端末ＵＥとＰＳＡＰとの間で、移動端末ＵＥとＰＳＡＰとの間の緊急通信用のセッション確立処理が行われる。【００８４】
移動端末ＵＥは、このように設定された緊急通信用のセッション確立処理を用いて、ＰＳＡＰとの間で緊急通信を行うことができる。【００８５】
第３に、図９を参照して、本実施形態に係る移動通信システムの動作における第３のケースについて説明する。【００８６】
第３のケースでは、図９に示すように、移動端末ＵＥは、ステップＳ３００１において、移動端末ＵＥにＵＩＣＣが搭載されていると判断し、ステップＳ３００２において、Ｓ-ＣＳＣＦ＃１において移動端末ＵＥについての一般通信用の位置登録処理が完了していないと判断する。【００８７】
ステップＳ３００３において、移動端末ＵＥは、緊急通信用のユーザ識別子を用いて、Ｓ-ＣＳＣＦ＃２において当該移動端末ＵＥについての緊急通信用の位置登録処理を行うように要求するための「Ｅｍｅｒｇｅｎｃｙ  Ｒｅｇｉｓｔｒａｔｉｏｎ  Ｒｅｑｕｅｓｔ」を、Ｐ-ＣＳＣＦに送信する。【００８８】
ステップＳ３００４において、Ｐ-ＣＳＣＦは、受信した「Ｅｍｅｒｇｅｎｃｙ  Ｒｅｇｉｓｔｒａｔｉｏｎ  Ｒｅｑｕｅｓｔ」に対して、ＩＰネットワークにおいて、移動端末ＵＥについての緊急通信用の位置登録処理を行う前に、移動端末ＵＥについての一般通信用の位置登録処理を行う必要があるか否かについての指示を含む応答を送信する。【００８９】
ステップＳ３００５において、移動端末ＵＥは、Ｐ-ＣＳＣＦからの応答に基づいて、ＩＰネットワークにおいて、移動端末ＵＥについての緊急通信用の位置登録処理を行う前に、移動端末ＵＥについての一般通信用の位置登録処理を行う必要があるか否かについて判断する。【００９０】
ここで、第３のケースでは、ＩＰネットワークにおいて、移動端末ＵＥについての緊急通信用の位置登録処理を行う前に、移動端末ＵＥについての一般通信用の位置登録処理を行う必要があると判断されるものとする。【００９１】
ステップＳ３００６において、移動端末ＵＥは、一般通信用のユーザ識別子を用いて、Ｓ-ＣＳＣＦ＃１において当該移動端末ＵＥについての一般通信用の位置登録処理（Ｎｏｒｍａｌ  Ｒｅｇｉｓｔｒａｔｉｏｎ処理）を行うように要求するための「Ｎｏｒｍａｌ  Ｒｅｇｉｓｔｒａｔｉｏｎ  Ｒｅｑｕｅｓｔ」を、Ｐ-ＣＳＣＦに送信する。【００９２】
ステップＳ３００７において、「Ｎｏｒｍａｌ  Ｒｅｇｉｓｔｒａｔｉｏｎ  Ｒｅｑｕｅｓｔ」に応じて、ＨＳＳを参照して、移動端末ＵＥとＳ-ＣＳＣＦ＃１との間で、当該移動端末ＵＥについての一般通信用の位置登録処理が行われる。【００９３】
ステップＳ３００８において、移動端末ＵＥは、ステップＳ３００７における移動端末ＵＥについての一般通信用の位置登録処理においてＩＰネットワークから通知された情報（例えば、判定キー）等に基づいて、Ｓ-ＣＳＣＦ＃２において移動端末ＵＥについての緊急通信用の位置登録処理を行う必要があるか否かについて判断する、すなわち、ＩＰネットワークにおいて緊急通信を行うにあたって移動端末ＵＥについての一般通信用及び緊急通信用の位置登録処理の両方を行う必要があるか否かについて判断する。【００９４】
ここで、第３のケースでは、ＩＰネットワークにおいて、緊急通信を行うにあたって移動端末ＵＥについての一般通信用及び緊急通信用の位置登録処理の両方を行う必要はないと判断されるものとする。【００９５】
ステップＳ３００９において、移動端末ＵＥは、Ｓ-ＣＳＣＦ＃２において移動端末ＵＥについての緊急通信用の位置登録処理を行うことなく、一般通信用のユーザ識別子を用いて、ＰＳＡＰとの間で緊急通信用のセッション確立処理を行うように要求するための緊急通信用セッション確立処理要求をＰ-ＣＳＣＦに送信する。【００９６】
ステップＳ３０１０において、Ｐ-ＣＳＣＦは、受信した緊急通信用セッション確立処理要求を、Ｅ-ＣＳＣＦに転送する。【００９７】
ステップＳ３０１１において、Ｅ-ＣＳＣＦは、受信した緊急通信用セッション確立処理要求を、ＰＳＡＰに転送する。【００９８】
ステップＳ３０１２において、上述のＩＰネットワークは、Ｓ-ＣＳＣＦ＃１において移動端末ＵＥについての一般通信用の位置登録処理が完了している場合であるので、Ｓ-ＣＳＣＦ＃２において移動端末ＵＥについての緊急通信用の位置登録処理が行われていないが、移動端末ＵＥとＰＳＡＰとの間の緊急通信用のセッション確立処理を行う。【００９９】
移動端末ＵＥは、このように設定された緊急通信用のセッション確立処理を用いて、ＰＳＡＰとの間で緊急通信を行うことができる。【０１００】
第４に、図１０を参照して、本実施形態に係る移動通信システムの動作における第４のケースについて説明する。【０１０１】
第４のケースでは、図１０に示すように、移動端末ＵＥは、ステップＳ４００１において、移動端末ＵＥにＵＩＣＣが搭載されていると判断し、ステップＳ４００２において、Ｓ-ＣＳＣＦ＃１において移動端末ＵＥについての一般通信用の位置登録処理が完了していないと判断する。【０１０２】
或いは、第４のケースでは、図１０に示すように、移動端末ＵＥは、ステップＳ４００１において、移動端末ＵＥにＵＩＣＣが搭載されていないと判断する。【０１０３】
いずれの場合でも、ステップＳ４００３において、移動端末ＵＥは、緊急通信用のユーザ識別子を用いて、Ｓ-ＣＳＣＦ＃２において当該移動端末ＵＥについての緊急通信用の位置登録処理を行うように要求するための「Ｅｍｅｒｇｅｎｃｙ  Ｒｅｇｉｓｔｒａｔｉｏｎ  Ｒｅｑｕｅｓｔ」を、Ｐ-ＣＳＣＦに送信する。【０１０４】
ステップＳ４００４において、Ｐ-ＣＳＣＦが、受信した「Ｅｍｅｒｇｅｎｃｙ  Ｒｅｇｉｓｔｒａｔｉｏｎ  Ｒｅｑｕｅｓｔ」に応じて、ＩＰネットワークにおいて、移動端末ＵＥについての緊急通信用の位置登録処理を行う前に、移動端末ＵＥについての一般通信用の位置登録処理を行う必要はないと判断し、移動端末ＵＥとＳ-ＣＳＣＦ＃２との間で、ＨＳＳを参照して、当該移動端末ＵＥについての緊急通信用の位置登録処理が行われる。【０１０５】
ステップＳ４００５において、移動端末ＵＥは、上述の緊急通信用の位置登録処理が完了した後、緊急通信用のユーザ識別子を用いて、ＰＳＡＰとの間で緊急通信用のセッション確立処理を行うように要求するための「Ｅｍｅｒｇｅｎｃｙ  ＳＩＰ  Ｉｎｖｉｔｅ」を、Ｐ-ＣＳＣＦに送信する。【０１０６】
ステップＳ４００６において、Ｐ-ＣＳＣＦは、受信した「Ｅｍｅｒｇｅｎｃｙ  ＳＩＰ  Ｉｎｖｉｔｅ」を、Ｅ-ＣＳＣＦに転送する。【０１０７】
ステップＳ４００７において、Ｅ-ＣＳＣＦは、受信した緊急通信用セッション確立処理要求を、ＰＳＡＰに転送する。【０１０８】
ステップＳ４００８において、「Ｅｍｅｒｇｅｎｃｙ  ＳＩＰ  Ｉｎｖｉｔｅ」に応じて、Ｓ-ＣＳＣＦ＃１において移動端末ＵＥについての一般通信用の位置登録処理が行われていないが、移動端末ＵＥとＰＳＡＰとの間で、ＨＳＳを参照して、移動端末ＵＥとＰＳＡＰとの間の緊急通信用のセッション確立処理が行われる。【０１０９】
移動端末ＵＥは、このように設定された緊急通信用のセッション確立処理を用いて、ＰＳＡＰとの間で緊急通信を行うことができる。【０１１０】
（本発明の第１の実施形態に係る移動通信システムの作用・効果）
本実施形態に係る移動端末及び移動通信システムによれば、Ｓ-ＣＳＣＦ＃１において移動端末ＵＥについての一般通信用の位置登録処理が完了している場合であって、かつ、ＩＰネットワークにおいて緊急通信を行うにあたって移動端末ＵＥについての一般通信用及び緊急通信用の位置登録処理の両方を行う必要がないと判断された場合に、Ｓ-ＣＳＣＦ＃２において移動端末ＵＥについての緊急通信用の位置登録処理を行うことなく、ＰＳＡＰとの間で緊急通信用のセッション確立処理を行うように構成されているため、ＩＰネットワークにおける緊急通信を開始するまでの時間を短縮することができる。【０１１１】
また、本実施形態に係る移動端末及び移動通信システムによれば、Ｓ-ＣＳＣＦ＃１において移動端末ＵＥについての一般通信用の位置登録処理が完了している場合であっても、ＩＰネットワークにおいて緊急通信を行うにあたって移動端末ＵＥについての一般通信用及び緊急通信用の位置登録処理の両方を行う必要があると判断された場合には、Ｓ-ＣＳＣＦ＃２において移動端末ＵＥについての緊急通信用の位置登録処理を行った後に、ＰＳＡＰとの間で緊急通信用のセッション確立処理を行うように構成されているため、緊急通信を行うにあたって移動端末ＵＥについての一般通信用及び緊急通信用の位置登録処理の両方を行う必要がある従来のＩＰネットワークにおいても、緊急通信を行うにあたって移動端末ＵＥについての一般通信用及び緊急通信用の位置登録処理の両方を行う必要がない本発明に係るＩＰネットワークにおいても適用可能である。【０１１２】
また、本実施形態に係る移動端末及び移動通信システムによれば、移動端末ＵＥにおいてＵＩＣＣが搭載されていない場合、又は、Ｓ-ＣＳＣＦ＃１において移動端末ＵＥについての一般通信用の位置登録処理が完了していない場合に移動端末ＵＥによって送信された緊急通信用位置登録処理要求に応じて、Ｓ-ＣＳＣＦ＃２において移動端末ＵＥについての緊急通信用の位置登録処理が完了した場合に、Ｓ-ＣＳＣＦ＃１において移動端末ＵＥについての一般通信用の位置登録処理を行うことなく、ＰＳＡＰとの間で緊急通信用のセッション確立処理を行うように構成されているため、ＩＰネットワークにおける緊急通信を開始するまでの時間を短縮することができる。【０１１３】
（本発明の第２の実施形態に係る移動通信システム）
図１１乃至図１６を参照して、本発明の第２の実施形態に係る移動通信システムについて説明する。【０１１４】
本実施形態では、上述のＳ-ＣＳＣＦ＃１（第1の呼制御装置）及びＳ-ＣＳＣＦ＃２（第２の呼制御装置）が、同一の装置（Ｓ-ＣＳＣＦ）内に設けられているものとする。【０１１５】
具体的には、図１１及び図１２を参照して、本実施形態に係る移動端末ＵＥの動作について説明し、図１３乃至図１６を参照して、本実施形態に係る移動通信システムの動作について説明する。【０１１６】
図１１に示すように、ステップＳ５０１において、移動端末ＵＥからＰＳＡＰ宛てに行うべき緊急通信（Ｅｍｅｒｇｅｎｃｙ  Ｃａｌｌ）が発生する。【０１１７】
ステップＳ１０２において、移動端末ＵＥは、当該移動端末ＵＥにＵＩＣＣが搭載されているか否かについて判定する。【０１１８】
搭載されていると判定された場合、本動作は、ステップＳ５０３に進み、図５に示す手順１を実行し、搭載されていないと判定された場合、本動作は、ステップＳ５０４に進む。【０１１９】
ここで、図１２を参照して、移動端末ＵＥが手順１を実行する動作について説明する。【０１２０】
図１２に示すように、ステップＳ６０１において、移動端末ＵＥは、ＩＰネットワークに対する位置登録処理において当該ＩＰネットワークから通知された情報に基づいて、例えば、ＧＰＲＳ（Ｇｅｎｅｒａｌ  Ｐａｃｋｅｔ  Ｒａｄｉｏ  Ｓｅｒｖｉｃｅ）アタッチ処理（ＧＰＲＳへの位置登録処理）やＩ-ＷＬＡＮアタッチ処理（Ｉ-ＷＬＡＮへの位置登録処理）においてＩＰネットワークから取得する情報を用いて、当該移動端末ＵＥが、Ｈｏｍｅネットワークに在圏しているか、或いは、Ｖｉｓｉｔｅｄネットワークに在圏しているかについて判定する。【０１２１】
Ｈｏｍｅネットワークに在圏していると判定された場合、本動作は、ステップＳ６０２に進み、Ｖｉｓｉｔｅｄネットワークに在圏していると判定された場合、本動作は、ステップＳ６０３に進む。【０１２２】
ステップＳ６０２において、移動端末ＵＥは、Ｓ-ＣＳＣＦ＃１において移動端末ＵＥについての一般通信用の位置登録処理が完了しているか否かについて判定する。【０１２３】
完了していると判定された場合、本動作は、図１１に示すステップＳ５０４に進み、完了していないと判定された場合、本動作は、ステップＳ６０３に進む。【０１２４】
ステップＳ６０３において、移動端末ＵＥは、緊急通信用の位置登録処理を行うために、緊急通信用のユーザ識別子を用いて、当該緊急通信用の位置登録処理を行うように要求するための「Ｅｍｅｒｇｅｎｃｙ  Ｒｅｇｉｓｔｒａｔｉｏｎ  Ｒｅｑｕｅｓｔ」をＰ-ＣＳＣＦに送信する。【０１２５】
ステップＳ６０４において、移動端末ＵＥは、Ｓ-ＣＳＣＦ＃２との間で、Ｅｍｅｒｇｅｎｃｙ  Ｒｅｇｉｓｔｒａｔｉｏｎを行った後、本動作は、図１１におけるステップＳ５０４に進む。【０１２６】
すなわち、移動端末ＵＥは、移動端末ＵＥについてのＩＰネットワークに対する位置登録処理においてＩＰネットワークから通知された情報（例えば、判定キー）等に基づいて、Ｓ-ＣＳＣＦ＃２において移動端末ＵＥについての緊急通信用の位置登録処理を行う必要があるか否かについて判断する、すなわち、ＩＰネットワークにおいて緊急通信を行うにあたって移動端末ＵＥについての一般通信用及び緊急通信用の位置登録処理の両方を行う必要があるか否かについて判断する。【０１２７】
具体的には、移動端末ＵＥは、移動端末ＵＥについてのＩＰネットワークに対する位置登録処理においてＩＰネットワークから通知された情報（例えば、判定キー）等に基づいて、Ｈｏｍｅネットワークに在圏していると判定した場合、ＩＰネットワークにおいて緊急通信を行うにあたって移動端末ＵＥについての一般通信用及び緊急通信用の位置登録処理の両方を行う必要がないと判断する。【０１２８】
一方、移動端末ＵＥは、移動端末ＵＥについてのＩＰネットワークに対する位置登録処理においてＩＰネットワークから通知された情報（例えば、判定キー）等に基づいて、Ｈｏｍｅネットワークに在圏していない（すなわち、Ｖｉｓｉｔｅｄネットワークに在圏している）と判定した場合、ＩＰネットワークにおいて緊急通信を行うにあたって移動端末ＵＥについての一般通信用及び緊急通信用の位置登録処理の両方を行う必要があると判断する。【０１２９】
ステップＳ５０４において、移動端末ＵＥは、ＰＳＡＰとの間の緊急通信に用いられる緊急通信用のセッション確立処理を行うために、ＰＳＡＰとの間で緊急通信用のセッション確立処理を行うように要求するための緊急通信用セッション確立処理要求（Ｅｍｅｒｇｅｎｃｙ  ＳＩＰ  Ｉｎｖｉｔｅ）をＰ-ＣＳＣＦに送信する。【０１３０】
ステップＳ５０５において、移動端末ＵＥは、ＰＳＡＰとの間で、緊急通信に用いられる緊急通信用のセッション確立処理を行う。【０１３１】
次に、図１３乃至図１６を参照して、本実施形態に係る移動通信システムにおいて、移動端末ＵＥとＰＳＡＰとの間の緊急通信を開始する動作（４つのケース）について説明する。【０１３２】
第１に、図１３を参照して、本実施形態に係る移動通信システムの動作における第１のケースについて説明する。【０１３３】
第１のケースでは、図１３に示すように、移動端末ＵＥは、ステップＳ５００１において、移動端末ＵＥにＵＩＣＣが搭載されていると判断し、ステップＳ５００２において、Ｈｏｍｅネットワークに在圏していると判断し、ステップＳ５００３において、移動端末ＵＥについての一般通信用の位置登録処理が完了していると判断する。【０１３４】
かかる場合、ステップＳ５００４において、移動端末ＵＥは、Ｓ-ＣＳＣＦ＃２において移動端末ＵＥについての緊急通信用の位置登録処理を行うことなく、一般通信用のユーザ識別子を用いて、ＰＳＡＰとの間で緊急通信用のセッション確立処理（Ｅｍｅｒｇｅｎｃｙ  Ｓｅｓｓｉｏｎ  Ｅｓｔａｂｌｉｓｈｍｅｎｔ処理）を行うように要求するための緊急通信用セッション確立処理要求（Ｅｍｅｒｇｅｎｃｙ  ＳＩＰ  Ｉｎｖｉｔｅ）をＰ-ＣＳＣＦに送信する。【０１３５】
ステップＳ５００５において、Ｐ-ＣＳＣＦは、受信した緊急通信用セッション確立処理要求を、Ｅ-ＣＳＣＦに転送する。【０１３６】
ステップＳ５００６において、Ｅ-ＣＳＣＦは、受信した緊急通信用セッション確立処理要求を、ＰＳＡＰに転送する。【０１３７】
ステップＳ５００７において、上述のＩＰネットワークは、Ｓ-ＣＳＣＦ＃１において移動端末ＵＥについての一般通信用の位置登録処理が完了している場合であるので、Ｓ-ＣＳＣＦ＃２において移動端末ＵＥについての緊急通信用の位置登録処理が行われていないが、移動端末ＵＥとＰＳＡＰとの間の緊急通信用のセッション確立処理を行う。【０１３８】
移動端末ＵＥは、このように設定された緊急通信用のセッション確立処理を用いて、ＰＳＡＰとの間で緊急通信を行うことができる。【０１３９】
第２に、図１４を参照して、本実施形態に係る移動通信システムの動作における第２のケースについて説明する。【０１４０】
第２のケースでは、図１４に示すように、移動端末ＵＥは、ステップＳ６００１において、移動端末ＵＥにＵＩＣＣが搭載されていると判断し、ステップＳ６００２において、Ｈｏｍｅネットワークに在圏していると判断し、ステップＳ６００３において、移動端末ＵＥについての一般通信用の位置登録処理が完了していないと判断する。【０１４１】
ステップＳ６００４において、移動端末ＵＥは、緊急通信用のユーザ識別子を用いて、Ｓ-ＣＳＣＦ＃２において当該移動端末ＵＥについての緊急通信用の位置登録処理を行うように要求するための「Ｅｍｅｒｇｅｎｃｙ  Ｒｅｇｉｓｔｒａｔｉｏｎ  Ｒｅｑｕｅｓｔ」を、Ｐ-ＣＳＣＦに送信する。【０１４２】
ステップＳ６００５において、「Ｅｍｅｒｇｅｎｃｙ  Ｒｅｇｉｓｔｒａｔｉｏｎ  Ｒｅｑｕｅｓｔ」に応じて、ＨＳＳを参照して、移動端末ＵＥとＳ-ＣＳＣＦ＃２との間で、当該移動端末ＵＥについての緊急通信用の位置登録処理が行われる。【０１４３】
ステップＳ６００６において、移動端末ＵＥは、上述の緊急通信用の位置登録処理が完了した後、緊急通信用のユーザ識別子を用いて、ＰＳＡＰとの間で緊急通信用のセッション確立処理を行うように要求するための「Ｅｍｅｒｇｅｎｃｙ  ＳＩＰ  Ｉｎｖｉｔｅ」を、Ｐ-ＣＳＣＦに送信する。【０１４４】
ステップＳ６００７において、Ｐ-ＣＳＣＦは、受信した「Ｅｍｅｒｇｅｎｃｙ  ＳＩＰ  Ｉｎｖｉｔｅ」を、Ｅ-ＣＳＣＦに転送する。【０１４５】
ステップＳ６００８において、Ｅ-ＣＳＣＦは、受信した緊急通信用セッション確立処理要求を、ＰＳＡＰに転送する。【０１４６】
ステップＳ６００９において、「Ｅｍｅｒｇｅｎｃｙ  ＳＩＰ  Ｉｎｖｉｔｅ」に応じて、移動端末ＵＥとＰＳＡＰとの間で、移動端末ＵＥとＰＳＡＰとの間の緊急通信用のセッション確立処理が行われる。【０１４７】
移動端末ＵＥは、このように設定された緊急通信用のセッション確立処理を用いて、ＰＳＡＰとの間で緊急通信を行うことができる。【０１４８】
第３に、図１５を参照して、本実施形態に係る移動通信システムの動作における第３のケースについて説明する。【０１４９】
第３のケースでは、図１５に示すように、移動端末ＵＥは、ステップＳ７００１において、移動端末ＵＥにＵＩＣＣが搭載されていると判断し、ステップＳ７００２において、Ｈｏｍｅネットワークに在圏していないと判断する。【０１５０】
ステップＳ７００３において、移動端末ＵＥは、緊急通信用のユーザ識別子を用いて、Ｓ-ＣＳＣＦ＃２において当該移動端末ＵＥについての緊急通信用の位置登録処理を行うように要求するための「Ｅｍｅｒｇｅｎｃｙ  Ｒｅｇｉｓｔｒａｔｉｏｎ  Ｒｅｑｕｅｓｔ」を、Ｐ-ＣＳＣＦに送信する。【０１５１】
ステップＳ７００４において、「Ｅｍｅｒｇｅｎｃｙ  Ｒｅｇｉｓｔｒａｔｉｏｎ  Ｒｅｑｕｅｓｔ」に応じて、ＨＳＳを参照して、移動端末ＵＥとＳ-ＣＳＣＦ＃２との間で、当該移動端末ＵＥについての緊急通信用の位置登録処理が行われる。【０１５２】
ステップＳ７００５において、移動端末ＵＥは、Ｓ-ＣＳＣＦ＃２において移動端末ＵＥについての緊急通信用の位置登録処理を行うことなく、一般通信用のユーザ識別子を用いて、ＰＳＡＰとの間で緊急通信用のセッション確立処理を行うように要求するための緊急通信用セッション確立処理要求をＰ-ＣＳＣＦに送信する。【０１５３】
ステップＳ７００６において、Ｐ-ＣＳＣＦは、受信した緊急通信用セッション確立処理要求を、Ｅ-ＣＳＣＦに転送する。【０１５４】
ステップＳ７００７において、Ｅ-ＣＳＣＦは、受信した緊急通信用セッション確立処理要求を、ＰＳＡＰに転送する。【０１５５】
ステップＳ７００８において、上述のＩＰネットワークは、Ｓ-ＣＳＣＦ＃１において移動端末ＵＥについての一般通信用の位置登録処理が完了している場合であるので、Ｓ-ＣＳＣＦ＃２において移動端末ＵＥについての緊急通信用の位置登録処理が行われていないが、移動端末ＵＥとＰＳＡＰとの間の緊急通信用のセッション確立処理を行う。【０１５６】
移動端末ＵＥは、このように設定された緊急通信用のセッション確立処理を用いて、ＰＳＡＰとの間で緊急通信を行うことができる。【０１５７】
第４に、図１６を参照して、本実施形態に係る移動通信システムの動作における第４のケースについて説明する。【０１５８】
第４のケースでは、図１６に示すように、移動端末ＵＥは、ステップＳ８００１において、移動端末ＵＥにＵＩＣＣが搭載されていないと判断する。【０１５９】
ステップＳ８００２において、移動端末ＵＥは、緊急通信用のユーザ識別子を用いて、ＰＳＡＰとの間で緊急通信用のセッション確立処理を行うように要求するための「Ｅｍｅｒｇｅｎｃｙ  ＳＩＰ  Ｉｎｖｉｔｅ」を、Ｐ-ＣＳＣＦに送信する。【０１６０】
ステップＳ８００３において、Ｐ-ＣＳＣＦは、受信した「Ｅｍｅｒｇｅｎｃｙ  ＳＩＰ  Ｉｎｖｉｔｅ」を、Ｅ-ＣＳＣＦに転送する。【０１６１】
ステップＳ８００４において、Ｅ-ＣＳＣＦは、受信した緊急通信用セッション確立処理要求を、ＰＳＡＰに転送する。【０１６２】
ステップＳ８００５において、「Ｅｍｅｒｇｅｎｃｙ  ＳＩＰ  Ｉｎｖｉｔｅ」に応じて、Ｓ-ＣＳＣＦ＃１において移動端末ＵＥについての一般通信用の位置登録処理が行われていないが、移動端末ＵＥとＰＳＡＰとの間で、ＨＳＳを参照して、移動端末ＵＥとＰＳＡＰとの間の緊急通信用のセッション確立処理が行われる。【０１６３】
移動端末ＵＥは、このように設定された緊急通信用のセッション確立処理を用いて、ＰＳＡＰとの間で緊急通信を行うことができる。【０１６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【０１６５】
以上説明したように、本発明によれば、ＩＰネットワークにおける緊急通信を開始するまでの時間を短縮することができる移動端末及び移動通信システムを提供することができる。
【図１】
0004744599.tif 000002
【図２】
0004744599.tif 000003
【図３】
0004744599.tif 000004
【図４】
0004744599.tif 000005
【図５】
0004744599.tif 000006
【図６】
0004744599.tif 000007
【図７】
0004744599.tif 000008
【図８】
0004744599.tif 000009
【図９】
0004744599.tif 000010
【図１０】
0004744599.tif 000011
【図１１】
0004744599.tif 000012
【図１２】
0004744599.tif 000013
【図１３】
0004744599.tif 000014
【図１４】
0004744599.tif 000015
【図１５】
0004744599.tif 000016
【図１６】
0004744599.tif 000017